(57)【要約】【課題】デジタル変復調方式の無線中継装置において、ＤＳ３形式の信号を伝送する場合においても、シンボル・クロック・レートや、信号帯域幅を任意の値に制御可能とすること。【解決手段】周波数変換部、アナログ／デジタル変換部、デマッピング部、レート変換部、パラレル／シリアル変換部を有するデジタル変復調方式無線中継装置の受信装置において、送信装置からの伝送レート調整用ダミー・データの挿入されたＤＳ３信号を受信し、該受信信号から所定期間に値が０となるＤＳ３信号特有のフレーム形式を検出し、ＤＳ３信号とダミー・データを識別してＤＳ３信号のみ出力する手段を、デマッピング部とレート変換部の間に設け、ＤＳ３信号特有のフレーム形式を検出することにより、ダミー・データとペイロード・データの判別を可能としたものである。【選択図】      図１
2004266754.tif 000002
【特許請求の範囲】
【請求項１】
周波数変換部、アナログ／デジタル変換部、デマッピング部、レート変換部、パラレル／シリアル変換部を有するデジタル変復調方式無線中継装置の受信装置において、送信装置からの伝送レート調整用ダミー・データの挿入されたＤＳ３信号を受信し、該受信信号から所定期間に値が０となるＤＳ３信号特有のフレーム形式を検出し、ＤＳ３信号とダミー・データを識別してＤＳ３信号のみ出力する手段を、上記デマッピング部とレート変換部の間に設けたことを特徴とするデジタル変復調方式無線中継装置の受信装置。
【発明の詳細な説明】
【０００１】
【発明の属する技術分野】
本発明はデジタル変復調方式の無線中継装置に係り、特に直交変復調方式を用いてＤＳ３信号を伝送することを目的とした無線中継装置に関するものである。
【０００２】
【従来の技術】
従来、ＤＳ３信号を伝送する場合、デジタル変復調方式の多値化数によって、装置内部での信号処理を行うシンボル・クロック・レート、送信機出力の信号帯域幅は一意に決定されていた。  ここで、ＤＳ３とは、通信速度４５Ｍｂｐｓのデジタル専用回線の規格で、通信速度６Ｍｂｐｓの７本の回線を多重化したものであり、大企業の拠点間接続や、通信事業者間の相互接続などに用いられる。
【０００３】
デジタル変復調方式の無線中継装置においては、通常、伝送する信号の内容、伝送路の状況に応じて複数の信号形式、異なる伝送レート、多値化数が選択可能となっており、装置内部で信号処理を行うシンボル・クロック・レートは、ダミー・データを挿入することにより、あるいはダミー・データの挿入量を制御することにより、一定としている。
【０００４】
トランスポート・ストリーム（以下ＴＳ）形式の信号を伝送する場合、ダミー・データには、ＴＳ信号中に存在しない固定パターンをヘッダ信号として付加し、受信制御部では復調信号からヘッダを検出することにより、挿入したダミー・データと有効データ（以下、ペイロード・データ）を識別し、ダミー・データを除去することにより出力信号を本来のＴＳ信号に戻す処理を行う。
【０００５】
従来の構成は図２に示すように、送信機においてダミー・データ挿入時に同期バイトと同時にダミー・バイト検出用の固定パターンを持つヘッダを付加する機能を具備すると共に、送信機で付加したヘッダを検出するヘッダ検出部１７を有する構成である。  送信機１’に入力した入力信号はインターフェース２においてＮＲＺ形式のシリアル・データとクロックに変換される。  シリアル・データはシリアル／パラレル変換部（以下Ｓ／Ｐ変換部）３により、パラレル・データに変換される。
【０００６】
装置内部では、異なる信号速度の入力信号を等しいシンボル・クロック・レートで処理し、送信機出力の信号帯域幅を一定に保つため、Ｓ／Ｐ変換部３の後のレート変換部４において、あらかじめ設定したシンボル・クロック・レートに変換する。  レート変換による速度の増加分はダミー・データ、ヘッダ挿入部５’において、ダミー・データ挿入時に同期バイトと同時にダミー・バイト検出用の固定パターンを持つヘッダを挿入することにより実現する。
【０００７】
レート変換、ダミー・データ、ヘッダの挿入された信号は、デジタル変復調方式に応じたマッピング部６で振幅、位相方向への離散信号配置を行い、Ｄ／Ａ変換部７によりアナログ信号に変換した後、Ｄ／Ａ変換後のベースバンド信号を、周波数変換部８でＩＦ帯からＲＦ帯への周波数変換を行い送信信号を得る。
【０００８】
無線伝送を行った送信信号は受信機９’で復調処理を行う。受信機９’に入力した受信信号は、周波数変換部１０によりベース・バンド信号に変換され、Ａ／Ｄ変換部１１により、デジタル信号に変換された後、送信機側でマッピングした信号をデマッピング部１２により元に戻す。  デマッピングを行った信号には、送信機１’で挿入したダミー・データ検出用のヘッダが含まれており、ヘッダ検出部１７で固定パターンのヘッダを検出することによりダミー・データとペイロード・データを識別し、ダミー・データのみを除去する。
【０００９】
ダミー・データを除去した信号は、レート変換部１４により、連続した信号となり、Ｐ／Ｓ変換部１５でシリアル・データに変換された後、インターフェース１６において元の信号に変換され出力される。
【００１０】
【発明が解決しようとする課題】
ここで、ＤＳ３信号は規格で決められた形式の信号のため、ＤＳ３信号を伝送する場合は、ＤＳ３信号には存在しない固定パターンを設定することができず、前述の従来の無線中継装置の構成（図２）では、ダミー・データ識別用のヘッダを付加することができない。
【００１１】
本発明はこれらの欠点を除去し、デジタル変復調方式の無線中継装置においてＤＳ３形式の信号を伝送する場合においても、シンボル・クロック・レートや、信号帯域幅を任意の値に制御することを目的とするものである。
【００１２】
【課題を解決するための手段】
本発明は上記の目的を達成するため、周波数変換部、アナログ／デジタル変換部、デマッピング部、レート変換部、パラレル／シリアル変換部を有するデジタル変復調方式無線中継装置の受信装置において、送信装置からの伝送レート調整用ダミー・データの挿入されたＤＳ３信号を受信し、該受信信号から所定期間に値が０となるＤＳ３信号特有のフレーム形式を検出し、ＤＳ３信号とダミー・データを識別してＤＳ３信号のみ出力する手段を、デマッピング部とレート変換部の間に設けたもので、ダミー・データにヘッダを付加する代わりに、ＤＳ３信号特有のフレーム形式を検出することにより、ダミー・データとペイロード・データの判別を可能とするものである。
【００１３】
【発明の実施の形態】
以下、本発明の実施の形態について、図１により説明する。  図１は本発明の一実施例の構成を示すブロック図、図３はＤＳ３信号のフレーム形式を示す図、図４は本発明におけるＤＳ３信号のフレーム識別方法を示すブロック図である。
【００１４】
まず、図１により、本発明の構成を説明する。  送信機１に入力した入力信号はインターフェース２においてＮＲＺ形式のシリアル・データとクロックに変換される。  ここで、入力信号はＤＳ３信号とする。  シリアル・データは、シリアル／パラレル変換部（以下Ｓ／Ｐ変換部）３により、パラレル・データに変換される。
【００１５】
装置内部では、異なる信号速度の入力信号を等しいシンボル・クロック・レートで処理し、送信機出力の信号帯域幅を一定に保つため、Ｓ／Ｐ変換部３の後のレート変換部４において、あらかじめ設定したシンボル・クロック・レートに変換する。  レート変換による速度の増加分は、ダミー・データ挿入部５においてＤＳ３信号とは無関係なダミー・データを挿入することにより実現する。
【００１６】
ダミー・データの挿入においては、ＤＳ３信号とダミー・データのそれぞれを固定長のデータ単位で処理することとし、その構造は、１バイトの同期バイトを先頭とする固定長のパケット構造、一例として、２０４バイトのパケット構造を取ることとする。
【００１７】
レート変換、ダミー・データを挿入された信号は、デジタル変復調方式に応じたマッピング部６で振幅、位相方向への離散信号配置が行われ、Ｄ／Ａ変換部７によりアナログ信号に変換された後、周波数変換部８で、Ｄ／Ａ変換後のベースバンド信号がＩＦ帯からＲＦ帯へ周波数変換され、送信信号となる。
【００１８】
無線伝送された送信信号は、受信機９で復調処理される。  受信機９に入力した受信信号は、周波数変換部１０によりベース・バンド信号に変換され、Ａ／Ｄ変換部１１によりデジタル信号に変換された後、送信機側でマッピングした信号をデマッピング部１２により元に戻す。  デマッピングを行った信号には送信機１で挿入したダミー・データが含まれており、フレーム検出部１３で、ダミー・データ固有のパターンを検出することにより、ダミー・データとＤＳ３信号とを識別し、ダミー・データのみを除去する。  ダミー・データを除去した信号は、レート変換部１４により、連続した信号となり、Ｐ／Ｓ変換部１５でシリアル・データに変換された後、インターフェース１６において元のＤＳ３信号に変換されて出力される。
【００１９】
図３にＤＳ３信号のフレーム構成を示す。  ＤＳ３信号は１ビットのオーバーヘッド部分が８５ビット毎に挿入された構造となっており、オーバーヘッド部分を除く、８４ビットをペイロード部分と称する。
【００２０】
オーバーヘッド部分とペイロード部分の合計６８０ビットでサブフレームを構成し、第１から第７までのサブフレームの合計４７６０ビットで基本のフレーム構造となるマルチフレームを構成している。  ここで、オーバーヘッド部分は、ＤＳ３信号をＡＴＭリンクで伝送した場合にフレーム同期、サブフレーム同期、パリティ演算を行う等の目的で所定の値に定められた１ビットのデータであり、特に、Ｆ１，Ｆ２，Ｆ３，Ｆ４，Ｍ１，Ｍ２，Ｍ３はそれぞれ、１，０，０，１，０，１，０の固定の値を取る。  一方、ペイロード部分は、オーバーヘッド以外の信号で、送信信号の内容により値は変化する。
【００２１】
以下、本発明のフレーム検出方法を図４により説明する。  デマッピングした後のフレーム検出部１３に入力した信号は、同期バイト検出部１３−１において送信機１で挿入した同期バイトの検出を行う。  ここで、同期バイトは一定期間毎に出現するため、その出現する間隔を監視することにより、同期バイトとその他のデータとの識別を正しく行うことが可能である。
【００２２】
図３で示す様に、ＤＳ３信号のマルチフレーム構造においては、定期的に挿入されたオーバーヘッド部分により、最大で５１０ビット期間に必ず０が出現する構成となっている。
【００２３】
そこで、同期バイト検出後、５１０ビットのカウンタ１３−２のカウント動作をスタートさせ、カウント終了までにデータ中に０が出現した場合、ＤＳ３信号と判断し、カウンタ・リセット信号１３−５により、５１０ビットカウンタ１３−２をリセットする。  このカウント終了までにデータ中に０が出現しなかった場合、ダミー・データと判断し、ダミー・データ除去部１３−４にて、ダミー・データ除去の処理を行う。
【００２４】
ダミー・データを除去した信号は、次段のレート変換部１４で連続データに変換され、Ｐ／Ｓ変換部１５でシリアル・データに変換された後、インターフェース１６において元のＤＳ３信号に変換されて出力される。
【００２５】
【発明の効果】
本発明により、デジタル変復調方式の無線中継装置においてＤＳ３形式の信号を伝送する場合においても、シンボル・クロック・レートや信号帯域幅を任意の値に制御することが可能となる。
【図面の簡単な説明】
【図１】本発明の一実施例の構成を示すブロック図
【図２】従来の構成を示すブロック図
【図３】ＤＳ３信号のフレーム形式を示す図
【図４】本発明のＤＳ３信号のフレーム識別構成を示すブロック図
【符号の説明】
１：送信機、２，１６：インターフェース、３：Ｓ／Ｐ変換部、４，１４：レート変換部、５：ダミー・データ挿入部、６：マッピング部、７：Ｄ／Ａ変換部、８，１０：周波数変換部、９：受信機、１１：Ａ／Ｄ変換部、１２：デマッピング部、１３：フレーム検出部、１３−１：同期バイト検出部、１３−２：５１０ビット・カウンタ、１３−３：０検出部、１３−４：ダミー・データ除去部、１３−５：カウンタ・リセット信号、１５：Ｐ／Ｓ変換部。
【図１】
2004266754.tif 000003
【図２】
2004266754.tif 000004
【図３】
2004266754.tif 000005
【図４】
2004266754.tif 000006